(57)【要約】      （修正有）【課題】  点眼時において余分の薬液の滴下や流下を防止する簡便構造の目薬タレ防止具を提供する。【解決手段】  点眼時において目薬タレ防止具１の本体部２から薬液受け板３を引き出し、これを顔１２に当てる。この状態で容器本体６を指１３により押圧することにより大部分の薬液４は目１１に注入され、余分の薬液４は薬液受け板３により受け止められて顔１２側に付着しない。【選択図】図４
0003124898.tif 000002
【実用新案登録請求の範囲】
【請求項１】
目薬の点眼時における薬液の滴下等を防止するためのタレ防止具であって、該防止具は、目薬容器の容器本体に着脱可能に保持される本体部と、該本体部に前記薬液の点眼方向に沿って摺動自在に支持され又は前記本体部から点眼方向に突出して一体的に形成される薬液受け板とを有するものからなり、前記薬液受け板は目薬点眼時において目の下方の顔の部分に当接可能の長さを有するものからなることを特徴とする目薬タレ防止具。
【請求項２】
前記薬液受け板が上方側を開口する凹弧状断面を有するものからなることを特徴とする請求項１に記載の目薬タレ防止具。
【考案の詳細な説明】
【技術分野】
【０００１】
本考案は、目薬の点眼時において、目側に点眼されない余分の薬液が滴下して顔等に付着するのを防止する簡便構造目薬タレ防止具に関する。
【背景技術】
【０００２】
目薬は通常チューブ状の容器に入れられ、点眼時にはこの容器を指で押圧して目側に薬液を注出させて点眼し得るものから形成されている。この場合、場合により余分の薬液が容器から注出する場合が多く、目側に入らない余分の薬液が滴下される。この薬液の滴下や流出を防止する手段として、例えば、「特許文献１」が挙げられる。
【特許文献１】実開平６−５６３２号（図１）
【考案の開示】
【考案が解決しようとする課題】
【０００３】
「特許文献１」の「実開平６−５６３２号」の「目薬点眼時薬液の自然滴下または流出を防止する目薬容器の補助板」はその図１にあるように目薬の容器１の底部にこれを囲った補助板２，３を設けたものであり、この補助板２，３を設けることにより、点眼時において点眼位置が決まるまでの容器１内の薬液の膨張による容器１外への流出を防止するものであり、点眼の時に生ずる薬液の滴下を防止するものでない。一方、点眼時に容器から目側に注出された余分の薬液が顔に付着すると気持ちが悪いため点眼後にティシュペーパ等によりこの付着薬液を取り除く作業が必要になり極めて面倒である。また、この余分の薬液が顔等に付着しないように別体の受け板を点眼時に顔側に当てることによって以上の問題点は一応解決されるが、別体のものを常に準備しておくのは面倒であり、忘れがちとなる。また、この受け板を顔側に当てるには点眼作用の指の他に別の指等を使用する必要があり、面倒であり、かつ用済の受け板の後処理も面倒である。
【０００４】
本考案は、以上の事情に鑑みて考案されたものであり、簡便構造で取扱性もよく、余分の薬液の顔側に付着するのを有効に防止する目薬タレ防止具を提供することを目的とする。
【課題を解決するための手段】
【０００５】
本考案は、以上の目的を達成するために、請求項１の考案は、目薬の点眼時における薬液の滴下等を防止するためのタレ防止具であって、該防止具は、目薬容器の容器本体に着脱可能に保持される本体部と、該本体部に前記薬液の点眼方向に沿って摺動自在に支持され又は前記本体部から点眼方向に突出して一体的に形成される薬液受け板とを有するものからなり、前記薬液受け板は目薬点眼時において目の下方の顔の部分に当接可能の長さを有するものからなることを特徴とする。
【０００６】
また、請求項２の考案は、前記薬液受け板が上方側を開口する凹弧状断面を有するものからなることを特徴とする。
【考案の効果】
【０００７】
本考案の請求項１の目薬タレ防止具によれば、点眼時において目薬容器に保持されている薬液受け板を摺動方向に沿って引き出し、これを目下の顔の部分に当接し、この状態で点眼を行うことにより目側に入らない余分の薬液がこの薬液受け板によって受け止められ、これにより、顔側への薬液の付着が防止される。なお、使用後は薬液受け板上に溜っている薬液を目の中に注入させたこの薬液受け板を摺動させて収納すればよい。なお、本体部と一体的のものはそのままの状態で保持することになる。また、この薬液受け板は目薬容器に着脱可能に保持されているが、目薬容器と一体的に保管されるものであり、別体の物のように使用時に特別な処置を必要とするものではない。
【０００８】
また、本考案の請求項２の目薬タレ防止具によれば、薬液受け板が凹弧状のものからなり、余分の薬液を安定的に受け止めることができる。
【考案を実施するための最良の形態】
【０００９】
以下、本考案の目薬タレ防止具の実施の形態を図面を参照して詳述する。
図５（ａ），（ｂ）に示すように、目薬容器５としては薬液４を収納している容器本体６とこの薬液注出側に螺着されるキャップ７を有するものからなる。目薬を目に注入する際にはキャップ７を取り外し、容器本体５を指で圧接することにより容器本体５の先端から薬液４が噴出され目側に薬液が注入される。
【００１０】
本考案の目薬タレ防止具１は、図１（ａ），（ｂ）に示すように、以上の構造の目薬容器５に着脱可能に係着する部材からなる。即ち、この部材は、薬液４を収納している容器本体６に係着する本体部２と、薬液４の噴出方向に沿って本体部２に摺動自在に保持される薬液受け板３等とからなる。
【００１１】
図２（ａ）に示すように、本体部２は上方側に容器本体６に嵌り込む半弧状部８を形成し、下部に肉厚部９を形成する例えばプラスチック製の細長な部材からなり、肉厚部９には凹弧状の貫通孔１０が形成されるものからなる。半弧状部８を容器本体６の半円弧よりも小さ目に形成することにより本体部２は容器本体６に着脱可能に保持される。
【００１２】
一方、薬液受け板３は図１及び図２に示すように本体部２の貫通孔１０に摺動自在に保持される凹弧状の指断面を有する板状のものからなる。この薬液受け板３は不使用時には本体部２側に大部分が収納されているが、使用時には本体部と側から引き出して容器本体６の薬液４の噴出口よりも進んで位置まで引き出してセットする。
図３は薬液受け板３ａが本体部２ａに一体的に形成される目薬タレ防止具１ａを示す。この場合、薬液受け板３ａの突出長は点眼時にその先端が顔に当る長さからなる。
次に、図４により、本考案の目薬タレ防止具１を設けた目薬容器５による薬液４の注入の様子と薬液４の滴下や流出を防止する様子等を説明する。
前記のように、目薬タレ防止具１の本体部２から薬液受け板３を引き出した状態で目薬容器５の先端を目１１に近接する位置まで進めると薬液受け板３が目１１の下の顔１２の部分に当接する。この状態で指１３により目薬容器５の容器本体６を圧接すると容器本体６の先端から薬液４が噴出され、大部分の薬液４は目１１に注入される。しかしながら、目１１に注入されなかった薬液４は滴下されるが、この滴下される薬液４は薬液受け板３により受け止められ、その上面に溜る。従って、薬液４の液下や顔１２側への付着は防止される。
薬液４の目１１への注入が終了したら薬液受け板３上の薬液４を目１１の中に注入した後、薬液受け板３を本体部２内に収納する。
なお、目薬タレ防止具１を軟質のプラスチックで形成し可能な限り薄厚のものから形成することにより目薬容器５の重量オーバが防止され取扱性の向上が図れる。また、薬液４の注入時における指１３による押圧も目薬タレ防止具１のない場合とほとんど変らないで操作可能である。
また、この目薬タレ防止具１は目薬容器５と常時一体的の形態で販売されてもよく、また、付属品としてセットされて販売されてもよい。
【００１３】
以上の説明について目薬タレ防止具１の構造を説明したが、目薬タレ防止具１は以上の構造に限定するものではなく、同一の技術的範疇のものが適用されることは勿論である。
【産業上の利用可能性】
【００１４】
本考案の目薬タレ防止具は図４に示したような目薬容器のみに適用されるものではなく、各種形態の目薬容器に対してもほぼ同一の形状のものでの適用が可能であり、その利用範囲は広い。
【図面の簡単な説明】
【００１５】
【図１】本考案の目薬タレ防止具を設けた目薬容器を示す斜視図（ａ）及びＡ−Ａ線断面図（ｂ）。
【図２】本考案の目薬タレ防止具の構造を示す斜視図（ａ）及びＢ−Ｂ線断面図（ｂ）。
【図３】本体部と一体的構造の薬液受け板を有する実施例を示す外観図。
【図４】本考案の目薬タレ防止具を設けた目薬容器における使用方法と滴下防止を説明するための模式図。
【図５】一般的な構造の目薬容器の外観図及びＣ−Ｃ線軸断面図（ｂ）。
【符号の説明】
【００１６】
１    目薬タレ防止具
１ａ  目薬タレ防止具
２    本体部
２ａ  本体部
３    薬液受け板
３ａ  薬液受け板
４    薬液
５    目薬容器
６    容器本体
７    キャップ
８    半弧状部
９    肉厚部
１０  貫通孔
１１  目
１２  顔
１３  指
【図１】
0003124898.tif 000003
【図２】
0003124898.tif 000004
【図３】
0003124898.tif 000005
【図４】
0003124898.tif 000006
【図５】
0003124898.tif 000007